(57)【特許請求の範囲】
【請求項１】
表面にチキソトロピー性を有する防火ジェルが散布されることで使用される防炎シートであって、
該表面には、複数の突起の間に間隙が形成される様に該突起が設けられており、
該間隙は、該防炎シートに該防火ジェルを散布した際に、該間隙内に該防火ジェルを保持可能となっており、
該突起は、該防火ジェルを該表面に留め、防火ジェル層を形成するために設けられていることを特徴とする防炎シート。
【請求項２】
前記突起は、該突起と前記間隙が互い違いとなる様に配設されていることを特徴とする請求項１に記載の防炎シート。
【請求項３】
前記突起は、その先端部に受部が形成されていることを特徴とする請求項１又は２に記載の防炎シート。
【請求項４】
請求項１乃至３の何れかに記載の防炎シートで保護対象物を覆う工程と、
該防炎シートの表面に向かってチキソトロピー性を有する防火ジェルをゾル状態で散布する工程と、
該防火ジェルを、該防炎シートの前記間隙にゲル状態で保持し、該防炎シートの表面に防火ジェル層を形成する工程と、を含むことを特徴とする延焼防止方法。
【発明の詳細な説明】
【技術分野】
【０００１】
本発明は、防炎シート及び防炎シートを用いた延焼防止方法に関する。
【背景技術】
【０００２】
従来、文化財等の延焼（類焼ともいう）から保護すべき保護対象物を保管している施設の周囲で火災が発生した際に、保護対象物を、当該施設から一つ一つ運び出し、安全な場所まで避難させる必要があった。保護対象物の数が多い場合、当該保護対象物を避難させるのにも時間が掛るため、運び出している間に被害が拡大するおそれがある。
【０００３】
この場合、スプリンクラ設備等によって、水を散布し、延焼を防止することも考え得るが、特に保護対象物が文化財等である場合、当該文化財等に水が掛ってしまうとそれが原因で当該文化財等に破損や劣化等が生じ、水損する可能性がある。
【０００４】
そこで、吸水性高分子層を有するシートを保護対象物に被せ、当該吸水性高分子に水を吸収させ含水層を形成し、含水層に含まれる当該水の蒸発作用を利用して、保護対象物の延焼を防止する防炎シートが知られている（特許文献１及び２を参照）。
【先行技術文献】
【特許文献】
【０００５】
【特許文献１】特願２０００−  ７０３９５号公報
【特許文献２】特願２０００−３１７００５号公報
【発明の概要】
【発明が解決しようとする課題】
【０００６】
従来の防炎シートには、以下の様な問題があるものであった。
（１）保護対象物の延焼を十分に防止するのに必要な水量を吸水性高分子に吸水させるのにある程度の時間を要するため、火災の拡がりが速い場合、保護対象物の延焼を防止できない可能性がある。
【０００７】
（２）現実問題として、保護対象物が多い場合や複数箇所に保管等されている場合等には、ある程度の量の水を散布して吸水性高分子に水を吸水させることとなると考えられるが、この際、吸水性高分子層に吸水されなかった水が、施設の床面に流れ落ち、当該床面とシートの間の隙間からシート内に水が進入し、保護対象物が水損する可能性がある。
【０００８】
そこで、本発明は、文化財等の保護対象物の水損を防止しつつより確実に当該保護対象物の延焼を防止できる防炎シート及び延焼防止方法を提供することを目的とする。
【課題を解決するための手段】
【０００９】
本発明は、表面にチキソトロピー性を有する防火ジェルが散布されることで使用される防炎シートであって、該表面には、複数の突起の間に間隙が形成される様に該突起が設けられており、該間隙は、該防炎シートに該防火ジェルを散布した際に、該間隙内に該防火ジェルを保持可能となっており、該突起は、該防火ジェルを該表面に留め、防火ジェル層を形成するために設けられていることを特徴とする防炎シートある。
【００１０】
又、本発明は、前記防炎シートで保護対象物を覆う工程と、該防炎シートの表面に向かってチキソトロピー性を有する防火ジェルをゾル状態で散布する工程と、該防火ジェルを、該防炎シートの前記間隙にゲル状態で保持し、該防炎シートの表面に防火ジェル層を形成する工程と、を含むことを特徴とする延焼防止方法である。
【００１１】
本発明の前記防炎シートは、前記突起が、該突起と前記間隙が互い違いとなる様に配設される様にすることが可能である。又、本発明の前記防炎シートは、前記突起の先端部に受部が形成することも可能である。
【００１２】
本発明の前記延焼防止方法は、前記防火ジェルに、ケイ酸ナトリウムを含有させ、前記防炎シートの表面に、耐火層を形成する工程を含むことが可能である。又、本発明の前記延焼防止方法は、前記耐火層と前記防火ジェル層との間に空気層を形成する工程を含ませることが可能である。
【００１３】
尚、本発明において「突起」には、その周囲が例えば切削加工により除去された結果として残る部分である突起状の凸部も含まれるものとし、「間隙」には、該凸部を形成する際に例えば切削加工により除去された部分である凹部も含まれるものとする。
【発明の効果】
【００１４】
本発明は、防炎シートの表面に突起が設けられ、該突起間の間隙に防火ジェルを保持可能としたため、保護対象物の周囲で火災が発生した際にチキソトロピー性を有する防火ジェルを該防炎シートに向かって散布した際に、該防火ジェルを粘度の高いゲル状態で該防炎シートの表面に留め、該表面に防火ジェル層を形成することが可能となっている。
【００１５】
従って、文化財等の保護対象物を防炎シートで覆った後、ゾルの状態の防火ジェルを散布することによって防炎シートの表面を防火ジェルで覆い、該表面にゲル状態の防火ジェル層を形成することが可能となっている。そのため、より迅速に該保護対象物を延焼から保護することが可能である。
【００１６】
又、例え、防火ジェルが床面に流れ落ちることがあったとしても防火ジェルは、そのチキソトロピー性によって粘度が高いゲル状態となっており、流動性が低くなっているため該保護対象物、またその周囲の物が水損することを防止することができる。
【図面の簡単な説明】
【００１７】
【図１】本発明の第１及び第２実施形態における延焼防止方法を示す略図であり、防炎シートに向かって防火ジェルを散布する様子を示す図である。
【図２】本発明の第１及び第２実施形態における延焼防止方法を示す略図であり、防炎シートに向かって防火ジェルを散布する様子を示す図であり、図２とは別の態様を示す図である。
【図３】本発明の第１及び第２実施形態における防炎シートを示す表面図である。
【図４】本発明の第１及び第２実施形態における防炎シートを示す表面図であり、図３とは別の態様を示す図である。
【図５】本発明の第１実施形態における防炎シートを示す拡大断面図である。
【図６】本発明の第２実施形態における防炎シートを示す拡大断面図である。
【発明を実施するための形態】
【００１８】
本発明の第１実施形態を図１乃至図５に基づき説明する。始めに、本実施形態の延焼防止方法について説明する。尚、本延焼防止方法によって、延焼から保護されるべき保護対象物１の種類等の特に問われないが、特に、消火水によって水損する可能性のある物、例えば、仏像その他美術工芸品等の文化財や電気・電子機器等が挙げられる。
【００１９】
（１）保護対象物１は、予め又は展示・設置・保管等されている区画の周囲に火災が発生した際に、防炎シート２によって覆い被される。この際、可能な限り、保護対象物１の全体を防炎シート２によって覆うことが好ましい。
【００２０】
（２）そして、当該区画の天井部３に設けられたスプリンクラ４（図１を参照）やノズル５（図２を参照）等の防火ジェル６の供給源、例えば、タンク１１等、に接続された散布手段によって、防炎シート２に向かって防火ジェル６を散布する。
【００２１】
防火ジェル６は、水及びコロイド性含水ケイ酸塩（スメクタイト、ベントナイトやモンモリロナイト等の鉱物又はそれらに類する無機高分子化合物）等の揺変剤を含有しており、チキソトロピー性を有している。このため、防火ジェル６は、散布時は、その際の応力によって低粘性のゾル様の状態となっているため、速やかに防炎シート２の表面に向けて迅速に散布することが可能である。尚、防火ジェル６には、上記揺変剤の他、ケイ酸ナトリウムも適宜含有させることが可能である。
【００２２】
（３）散布された防火ジェル６は、そのチキソトロピー性によって防炎シート２の表面で次第に高粘性のゲル状態となり、当該表面の略全体を覆う様に防火ジェル層７を形成する（図５を参照）。防火ジェル層７は、防火ジェル６に含有される水分が蒸発する等によって、火災の熱が防炎シート２内に伝導することを防止し、保護対象物１を延焼から保護する。
【００２３】
上記（３）の工程と並行して、上記（２）の工程で、防火ジェル７の一部が床面９に落ちたとしても、床面９に落ちた防火ジェル７も同様に高粘性のゲル状態となるため防炎シート２内に防火ジェルが侵入することが防止されることとなる。
【００２４】
（４）防火ジェル６が、ケイ酸ナトリウムを含有している場合、火災の熱で防火ジェル６に含有される水分が蒸発すると共にケイ酸ナトリウム等が発泡し、防炎シート２の表面に耐火層８が形成される（図５を参照）。この耐火層８が形成されることで、水分が蒸発した後も保護対象物１を延焼から保護することができる。
【００２５】
次に、防炎シート２の具体的な構成について説明する。防炎シート２は、好ましくは、耐火性、不燃性又は難燃性の素材により形成されるシート本体２ａと、シート本体２ａの表面に全体に亘って形成された複数の突起２ｂを備えている。
【００２６】
突起２ｂは、突起２ｂ，２ｂ間に間隙２ｃが形成される様に防炎シート２の表面に配設されており、防火ジェル６をゲル状態で防炎シート２の表面に留め、防火ジェル層７を形成するために設けられる。突起２ｂの間隔や密度等は、間隙２ｃに防火ジェル６が入り込めることが可能であり且つ防火ジェル６が間隙２ｂ内に保持可能な範囲で適宜選択される。
【００２７】
突起２ｂの配置は、適宜選択可能であるが、突起２ｂと間隙２ｃとが互い違いとなる様に防炎シート２の表面に配設されていることが好ましい。この様にすることで、上記（２）の工程において、突起２ｂによって、防火ジェル６が、重力方向Ｇ（床面９方向）に流れ落ちる（垂れていく）ことを規制できると共に重力方向Ｇと直交する水平方向への移動についても突起２ｂによって規制することが可能となり、より確実に防火ジェル６を間隙２ｃ内に保持することができる。
【００２８】
又、保護対象物１の形状は、様々であるので、防炎シート２に汎用性を持たせるために、突起２ｂを図３で示す様に格子上に配設することができる。更に、例えば、防炎シート２が、中心部２ｆが頂点となる様に保護対象物１に覆い被せることが可能なケースにおいては、図４に示す様に突起２ｂを同心円上に配設することもできる。
【００２９】
突起２ｂの形状や長さは、保護対象物１の延焼を防止するために必要となる厚さの防火ジェル層７が確保できる様に防炎シート２の表面に防火ジェル６を保持できれば、適宜選択可能であるが、防炎シート２が保護対象物１を覆った際に少なくとも重力方向Ｇと対向する対向面２ｄは、略平面となっていることが好ましい。
【００３０】
本発明の第２実施形態を図１乃至４及び図６に基づき説明する。第１実施形態との相違は、防炎シート２の突起２ｂの長さを必要となる防火ジェル層７の厚さよりも長くなるように形成すると共に略鉤状に形成し、突起２ｂの先端に受部２ｅを形成したことである。その他については、第１実施形態と同様であるので説明を省略する。
【００３１】
本実施形態において、突起２ｂは、略鉤状に形成されており、その先端に受部２ｅが形成されている。この様にすることで、本実施形態においては、上記（２）の工程の際に、防火ジェル６が防炎シート２の突起２ｂより外側へと溢れ出ることを防止することが可能である。
【００３２】
又、本実施形態において、突起２ｂは、その長さが、必要となる防火ジェル層７の厚さよりも長くなるように形成されている。この様にすることで、本実施形態の延焼防止方法においては、上記（２）の工程の際に、突起２ｂの先端側に余裕をもたせても必要な厚さの防火ジェル層７を形成することが可能となる。
【００３３】
そして、上記（４）の工程に際して、耐火層８は、火災の熱により防火ジェル層７の水分が蒸発した部分、特に、防火ジェル層７の表面部分から、防火ジェル６に含有されているケイ酸ナトリウムの発泡が始まり、徐々に形成されることとなるが、この際、本実施形態においては、突起２ｂの先端側に余裕をもたせて防火ジェル層７が形成されているため、防火ジェル層７の表面部分等に形成された耐火層８が浮き上がる様に突起２ｂの先端側へ移動する。
【００３４】
その結果、防火ジェル層７と耐火層８との間に空気層１０を形成されることとなる。即ち、本実施形態の延焼防止方法は、空気層１０を形成する工程を更に含むことができ、この空気層１０が断熱層となり、防炎シート２内に火災の熱が伝導されることをより防止することが可能となる。
【００３５】
以上、本発明を、上記実施形態に基づき説明したが、本発明は上記実施形態に限定されるものではなく、発明の要旨を変更しない範囲で適宜変更可能である。例えば、防炎シート２のシート本体２ａは、柔軟性が求められるが、それに対して、突起２ｂは、防火ジェル６を支える必要があるため柔軟性というよりは寧ろ剛直性が求められる場合がある。
【００３６】
この様な場合、防炎シート２のシート本体２ａと突起２ｂとを別材料、例えば、シート本体２ａを可撓性のある軟質な樹脂で、突起２ｂを当該樹脂よりも可撓性の低いより硬質な樹脂、複合材料又は金属等で成形することで、シート本体１と突起２ｂの可撓性を適切に調整することが可能となる。
【００３７】
又、防炎シート２で保護対象物１を覆う際には、上記実施形態の様に保護対象物１毎を覆ってもよいが、複数又は全部の保護対象物１を纏めて覆ってもよく、保護対象物１のある区画そのものを覆うことで保護対象物１への延焼を防止してもよい。そして、防炎シート２の裏面にも突起２ｂを形成し、防炎シート２をリバーシブルに使用できる様にしてもよい。更に、防炎シート２のシート本体２ａが吸水性を有するものとすることも可能である。
【符号の説明】
【００３８】
１    保護対象物      ２    防炎シート      ２ａ  シート本体    ２ｂ  突起
２ｃ  間隙            ２ｄ  対向面          ２ｅ  受部          ２ｆ  中心部
３    天井部          ４    スプリンクラ    ５    ノズル        ６    防火ジェル
７    防火ジェル層    ８    耐火層          ９    床面          １０  空気層
１１  タンク          Ｇ    重力方向
【図１】
0006654049.tif 000002
【図２】
0006654049.tif 000003
【図３】
0006654049.tif 000004
【図４】
0006654049.tif 000005
【図５】
0006654049.tif 000006
【図６】
0006654049.tif 000007